(57)【要約】      （修正有）【課題】有効面積を増加させてもコイルと干渉しにくく製造の自動化が容易なコアおよびそれを用いた電子部品を提供する。【解決手段】コア１０は、底板１２、底板に連結され、第１の方向Ｘに配列され、軸心をそれぞれ含む２つのボビン１６Ａ、Ｂ、および天板１４を含む。天板は、２つのボビンに連結された天板本体と、天板本体の一側方から延伸し、第１の方向と平行でない第２の方向Ｙに台形形状に配列された天板延伸部とを含み、天板延伸部の第１の方向の寸法は、軸心間の距離以下である。【選択図】図２Ａ
0003222793.tif 000002
【実用新案登録請求の範囲】
【請求項１】
底板、
前記底板に連結され、第１の方向に配列され、軸心をそれぞれ含む２つのボビン、および
前記２つのボビンに連結された天板本体と、
天板本体の一側方から延伸し、前記天板本体と第２の方向に配列され、前記第２の方向は前記第１の方向と平行でない天板延伸部とを含み、
前記第１の方向にある前記天板延伸部の寸法は、前記軸心間の距離以下である天板を含むコア。
【請求項２】
前記第１の方向にある前記天板延伸部の寸法は、前記天板本体から前記第２の方向に徐々に減少する請求項１に記載のコア。
【請求項３】
前記軸心の方向から見て、前記天板延伸部は台形形状を有する請求項２に記載のコア。
【請求項４】
前記第１の方向にある天板延伸部の最大寸法と前記軸心間の距離は同じである請求項１に記載のコア。
【請求項５】
前記底板は、
前記ボビンと連結した底板本体、および
前記底板本体と第２の方向に配列された底板延伸部を含み、前記第１の方向にある前記底板延伸部の寸法は、前記軸心間の距離以下である請求項１に記載のコア。
【請求項６】
前記第１の方向にある前記底板延伸部の寸法は、前記底板本体から前記第２の方向に徐々に減少する請求項５に記載のコア。
【請求項７】
前記軸心の方向から見て、前記底板延伸部は台形形状を有する請求項６に記載のコア。
【請求項８】
前記第１の方向にある前記底板延伸部の最大寸法と前記軸心間の距離は同じである請求項５に記載のコア。
【請求項９】
前記底板と前記天板の形状は同じである請求項５に記載のコア。
【請求項１０】
前記ボビンの任意の一つの断面は多角形または楕円形を有する請求項１に記載のコア。
【請求項１１】
前記軸心の方向から見て、前記ボビンの外縁は、
第１の円弧状部に連結した第１の直線状部、
前記第１の直線状部に連結した第２の円弧状部、および
前記第１の円弧状部と前記第２の円弧状部に連結した第２の直線状部を順に含み、その中の前記第１の直線状部と前記第２の直線状部は、前記第１の方向で配列される請求項１に記載のコア。
【請求項１２】
凹部を含むベース、
前記ベースに配置され、且つ前記底板延伸部が前記凹部の上方に位置する請求項１〜請求項１１のいずれか１項に記載のコア、および
前記ボビンにそれぞれ捲回された２つのコイルを含む電子部品。
【請求項１３】
前記ベースはピンを更に含み、前記コイルの端部は前記ベースの一側方を通過して前記ピンに配置される請求項１２に記載の電子部品。
【請求項１４】
前記ベースはピンを更に含み、前記コイルの一つの端部が前記凹部を介して前記ピンに配置される請求項１２に記載の電子部品。
【請求項１５】
前記ベースは、前記凹部の反対側に配置されたもう一つの凹部を更に含み、且つ前記コイルは前記もう一つの凹部を通過しない請求項１４に記載の電子部品。
【考案の詳細な説明】
【技術分野】
【０００１】
本考案は、コアおよびそれを用いた電子部品に関するものである。
【背景技術】
【０００２】
今日の産業で用いられているコアにおいて、コアの有効面積（ｅｆｆｅｃｔｉｖｅ ａｒｅａ；  Ａｅ）が増加すると、コアの性能は向上する。例えば、インダクタに用いられているコアの有効面積が増加すると、このインダクタのインダクタンスを増加させることができる。しかしながら、通常、コアの有効面積を増加させたとき、増加されたコアの付加的な部分は、コアに捲回されたコイルと干渉を生じやすいため、対応する製造プロセスを自動化させることが困難になる。
【考案の概要】
【考案が解決しようとする課題】
【０００３】
コアおよびそれを用いた電子部品を提供する。
【課題を解決するための手段】
【０００４】
本考案のいくつかの実施形態は、底板、２つのボビン（ｃｏｉｌ  ｃｏｌｕｍｎｓ）、および天板を含むコアに関するものである。この２つのボビンは底板に連結され、第１の方向に配列され、軸心をそれぞれ含む。天板は天板本体および天板延伸部を含み、天板本体は、ボビンによって底板に連結され、天板延伸部と天板本体は、第２の方向に配列され、第２の方向は第１の方向と平行ではなく、第１の方向にある天板延伸部の寸法は、軸心間の距離以下である。
【０００５】
本考案のいくつかの実施形態で述べたコアでは、第１の方向にある天板延伸部の寸法は、天板本体から第２の方向に徐々に減少する。軸心の方向から見て、天板延伸部は台形形状を有する。第１の方向にある天板延伸部の最大寸法と軸心間の距離は同じである。本考案のいくつかの実施形態で述べたコアでは、底板は、底板本体および底板延伸部を含み、底板本体とボビンは連結され、底板延伸部と底板本体は第２の方向に配列され、第１の方向にある底板延伸部の寸法は軸心間の距離以下である。
【０００６】
本考案のいくつかの実施形態で述べたコアでは、軸心の方向から見て、底板延伸部は台形形状を有する。第１の方向にある底板延伸部の最大寸法と軸心間の距離は同じである。底板と天板の形状は同じである。軸心の方向から見て、ボビンの外縁は、第１の円弧状部、第１の直線状部、第２の円弧状部、および第２の直線状部を順に含む。第１の直線状部は第１の円弧状部に連結され、第２の円弧状部は第１の直線状部に連結され、第２の直線状部は第１の円弧状部と第２の円弧状部に連結され、第１の直線状部と第２の直線状部は、第１の方向に配列される。
【０００７】
本考案のいくつかの実施形態は、ベース、コア、および２つのコイルを含む電子部品にも関するものである。ベースは凹部を含み、コアはベースに配置され、コイルはボビンにそれぞれ捲回される。ベースからコアに向かって見たとき、コイルの一部は凹部から露出している。
【０００８】
以下、添付図面を参照して本考案の実施形態を詳細に説明する。実施形態の様々な特徴は一定の縮尺ではなく、単に例示的であることに留意されたい。実際には、要素の寸法は、本考案の特徴を明確に表すために任意に拡大または縮小することができる。
【図面の簡単な説明】
【０００９】
【図１】本考案のいくつかの実施形態に基づいて描かれた電子部品である。
【図２Ａ】本考案のいくつかの実施形態によるコアの斜視図である。
【図２Ｂ】本考案のいくつかの実施形態によるコアの底面図である。
【図２Ｃ】本考案のいくつかの実施形態によるコアの上面図である。
【図２Ｄ】本考案のいくつかの実施形態によるコアの側面図である。
【図３Ａ】本考案のいくつかの実施形態に基づいて描かれた電子部品の上面図である。
【図３Ｂ】図２ＡのＥ−Ｅ’線に沿って描かれたボビン（ｃｏｉｌ  ｃｏｌｕｍｓ）の断面図である。
【図４Ａ】本考案のいくつかの実施形態のベースの斜視図である。
【図４Ｂ】本考案のいくつかの実施形態のベースの底面図である。
【図４Ｃ】本考案のいくつかの実施形態のベースの側面図である。
【図５Ａ】本考案のいくつかの実施形態に基づいて図示された電子部品の概略図である。
【図５Ｂ】本考案のいくつかの実施形態に基づいて図示された電子部品の概略図である。
【図５Ｃ】本考案のいくつかの実施形態に基づいて図示された電子部品の概略図である。
【図５Ｄ】本考案のいくつかの実施形態に基づいて図示された電子部品の概略図である。
【図５Ｅ】本考案のいくつかの実施形態に基づいて図示された電子部品の概略図である。
【図５Ｆ】本考案のいくつかの実施形態に基づいて図示された電子部品の概略図である。
【図５Ｇ】本考案のいくつかの実施形態に基づいて図示された電子部品の概略図である。
【図５Ｈ】図５ＧのＨ部分の拡大図である。
【考案を実施するための形態】
【００１０】
以下、多くの異なる実施方法または実施例を開示して、提供される主題の異なる特徴を説明する。例えば、本明細書では、第１の特徴が第２の特徴の上に形成されることが述べられており、すなわちそれは第１の特徴が第２の特徴と直接接触している実施形態を含む。また、第１の特徴と第２の特徴以外に他の特徴がある実施形態も含まれる。また、異なる実施形態では、重複する記号または符号を用いることがあり、これらの繰り返しは、単純かつ明瞭な方法で本考案を単に例示するものであり、議論された様々な実施形態および／または構造間の特定の関係を表すものではない。
【００１１】
また、次のように、空間に関連した用語、例えば、「下方」、「より低い」などの用語を用いることがあり、これらの空間に関連した用語は、図面中の１つの（いくつかの）要素または特徴と、他の１つの（いくつかの）要素または特徴との関係をわかりやすく描くために用いられるもので、これらの空間に関連する用語は、使用中または動作中の装置の異なる向き、および図面に描かれている向きを含む。装置が異なる向きに向けられるとき、そこで用いられた空間に関連した形容詞も向きを変えた後の向きによって解釈される。
【００１２】
図１は、本考案のいくつかの実施形態に基づいて図示された電子部品１である。図１に示すように、電子部品１は、主にコア１０、２つのコイル２０、およびベース３０を含む。コイル２０は、コア１０に捲回されており、且つ互いに距離を隔てて配置されている。また、コア１０は、ベースに配置されている。いくつかの実施形態では、電子部品１はインダクタであってもよい。
【００１３】
次いで、図２Ａ〜図２Ｄは、本考案のいくつかの実施形態に基づいて図示されたコア１０の斜視図、底面図、上面図、および側面図である。図２Ａでは、コア１０は、主に底板１２、天板１４、および２つのボビン１６Ａおよび１６Ｂを含む。ボビン１６Ａおよびボビン１６Ｂの一端は底板１２に連結され、もう一端は天板１４に連結される。また、ボビン１６Ａおよびボビン１６Ｂは、第１の方向（Ｘ方向）に配列され、軸心（軸心Ａ１および軸心Ａ２）をそれぞれ含む。また、コア１０は方形のコア（ｓｑｕａｒｅ  ｃｏｒｅ）とすることができ、且つ適切な磁性材料を含むことができる。従って、コイル２０内にコア１０を有するとき、コイル２０が通電したときに発生する電磁誘導現象を強めることができる。
【００１４】
いくつかの実施形態では、図２Ｂおよび図２Ｃに示されるように、底板１２は底板本体１２２および底板延伸部１２４を含み、天板１４は天板本体１４２および天板延伸部１４４を含む。天板１４の天板本体１４２は、ボビン１６Ａまたはボビン１６Ｂによって底板１２の底板本体１２２に連結され、且つ底板延伸部１２４と底板本体１２２は第２の方向（Ｙ方向）に配列され、天板延伸部１４４と天板本体１４２も第２の方向に配列され、第２の方向は第１の方向と平行ではない（この実施形態では、第２の方向は第１の方向に対して垂直である）。図２Ｂおよび図２Ｃでは、底板本体１２２と底板延伸部１２４、または天板本体１４２と天板延伸部１４４は、破線で分けられているが、２つの異なる部分を図示するために用いられているだけで、上述の部品が別々の部品であるということではない点に留意されたい。例えば、いくつかの実施形態では、底板本体１２２と底板延伸部１２４、または天板本体１４２と天板延伸部１４４は一体成型することができる。
【００１５】
いくつかの実施形態では、第１の方向（Ｘ方向）にある底板延伸部１２４の最大の寸法Ｌ１は、軸心Ａ１と軸心Ａ２との間の距離Ｄ１以下であってもよく、または第１の方向にある天板延伸部１４４の最大の寸法Ｌ３は、軸心Ａ１と軸心Ａ２との間の距離Ｄ１以下であってもよい。言い換えれば、寸法Ｌ１または寸法Ｌ３は、距離Ｄ１以下であってもよい。従って、いくつかの実施形態では、第１の方向（Ｘ方向）にある底板延伸部１２４の最大寸法（即ち、寸法Ｌ１）は、軸心Ａ１と軸心Ａ２との間の距離Ｄ１と同じでもよく、または第１の方向（Ｘ方向）にある天板延伸部１４４の最大寸法（即ち、寸法Ｌ３）は、軸心Ａ１と軸心Ａ２との間の距離Ｄ１と同じでもよい。また、いくつかの実施形態では、底板１２の形状は天板１４の形状と同じであってもよいが、本考案はこれを限定するものではなく、設計要件に応じて、底板１２または天板１４に対して異なる形状をそれぞれ選択してもよい。
【００１６】
いくつかの実施形態では、第１の方向（Ｘ方向）にある底板延伸部１２４の寸法は、第２の方向（Ｙ方向）にある底板本体１２２から徐々に減少する。例えば、図２Ｂに示されるように、底板延伸部１２４と底板本体１２２が接している寸法Ｌ１は、Ｙ方向に底板本体１２２から離れた寸法Ｌ２よりも大きい。また、いくつかの実施形態では、第１の方向（Ｘ方向）にある天板延伸部１４４の寸法も、天板本体１４２から第２方向に徐々に減少されてもよい。例えば、図２Ｃに示されるように、天板延伸部１４４と天板本体１４２が接している寸法Ｌ３は、Ｙ方向に天板本体１４２から離れた寸法Ｌ４よりも大きい。
【００１７】
第１の方向（Ｘ方向）にある底板延伸部１２４の寸法は、第２の方向（Ｙ方向）にある底板本体１２２から徐々に減少するため、底板延伸部１２４の最大寸法Ｌ１は、底板本体１２２と底板延伸部１２４との境界から測定されることに留意されたい（天板本体１４２と天板延伸部１４４の最大寸法Ｌ３も同じである）。寸法Ｌ２を寸法Ｌ１より小さくし、寸法Ｌ４を寸法Ｌ３より小さくすることによって、コイル２０が通ることができる追加の空間を提供することができる。また、いくつかの実施形態では、プロセスを単純化するために、寸法Ｌ１は寸法Ｌ３と同じであってもよく、または寸法Ｌ２は寸法Ｌ４と同じであってもよい。しかしながら、本考案は、これに限定されるものではない。例えば、設計の自由度を高めるために、寸法Ｌ１は寸法Ｌ３とは異なってもよく、または寸法Ｌ２は寸法Ｌ４と異なってもよい。
【００１８】
いくつかの実施形態では、Ｙ方向にある底板延伸部１２４は厚さＴ１を有することができ、Ｙ方向にある天板延伸部１４４は厚さＴ２を有することができる。いくつかの実施形態では、寸法Ｌ２は寸法Ｌ１より小さく、底板延伸部１２４の厚さＴ１は、フラットコイル２０の幅および実際の用途要件によって決まる。また、いくつかの実施形態では、寸法Ｌ４は寸法Ｌ３より小さく、天板延伸部１４４の厚さＴ２もまた、フラットコイル２０の幅および実際の用途要件によって決まる。
【００１９】
また、いくつかの実施形態では、図２Ｂに示すように、底板延伸部１２４は台形の形状を有することができる。いくつかの実施形態では、図２Ｃに示すように、天板延伸部１４４は台形の形状を有することができる。即ち、図２Ｄに示される側面図では、底板延伸部１２４は、主面１２４Ａおよび２つの傾斜面１２４Ｂを有し、主面１２４Ａは２つの傾斜面１２４Ｂの間に配置することができる。また、天板延伸部１４４は、主面１４４Ａおよび２つの傾斜面１４４Ｂを有することができ、主面１４４Ａは、２つの傾斜面１４４Ｂの間に配置することができる。
【００２０】
いくつかの実施形態では、２つの傾斜面１２４Ｂまたは２つの傾斜面１４４Ｂはそれぞれ異なる方向を向いていてもよいことに留意されたい。底板延伸部１２４の両側に傾斜面１２４Ｂを提供することによって、または天板延伸部１４４の両側に傾斜面１４４Ｂを提供することによって、底板１２または天板１４の角に追加の空間を持たせ、自動的な方式でコイル２０をボビン１６Ａまたはボビン１６Ｂに捲回することができるようにしている（詳細は後述する）。
【００２１】
また、底板１２または天板１４にそれぞれ追加の底板延伸部１２４および天板延伸部１４４を提供することによって、コア１０の有効面積を増加させ、さまざまな利点をもたらすことができる。例えば、電子部品１のインダクタンス（ｉｎｄｕｃｔａｎｃｅ）を増加させる、またはインピーダンス（ｉｍｐｅｄａｎｃｅ）を低下させることができる。また、底板延伸部１２４または天板延伸部１４４が底板１２または天板１４の角部に位置しないため、コア１０を小型化して、機械を小型化するという効果を得ることもできる。
【００２２】
次いで、図３Ａは、本考案のいくつかの実施形態に基づいて描かれた電子部品１の上面図である。図３Ａでは、第１の方向（Ｘ方向）ではコイル２０とボビン１６Ａまたはコイル２０とボビン１６Ｂの間に空間Ｓがそれぞれ設けられていてもよい。即ち、Ｘ方向にあるコイル２０とボビン１６Ａまたはボビン１６Ｂとの間の間隔は、Ｙ方向にあるコイル２０とボビン１６Ａまたはボビン１６Ｂとの間の間隔より大きくてもよい。
【００２３】
しかしながら、本考案はこれに限定されるものではない。例えば、コイル２０をボビン１６Ａまたはボビン１６Ｂに緊密に捲回させることもでき、Ｘ方向にあるコイル２０とボビン１６Ａまたはボビン１６Ｂとの間の間隔も、Ｙ方向にあるコイル２０とボビン１６Ａまたはボビン１６Ｂとの間の間隔とほぼ同じにすることができる。従って、設計の自由度を高めることができる。
【００２４】
この現象を生じる原因は、Ｘ−Ｙ平面に沿ったボビン１６Ａまたはボビン１６Ｂの断面が非円形の形状を有するためである。例えば、図３Ｂは、図１の線Ｅ−Ｅ’に沿って描かれたボビン１６Ａの断面図である。図３Ｂでは、軸心Ａ１の方向から見て、ボビン１６Ａの外縁は、主に、時計回りに順に連結した第１の円弧状部１７Ａ、第１の直線状部１７Ｂ、第２の円弧状部１７Ｃ、および第２の直線状部１７Ｄを含み、且つ第１の直線状部１７Ｂと第２の直線状部１７Ｄは、第１の方向（Ｘ方向）に配置しており、第１の円弧状部１７Ａと第２の円弧状部１７Ｃは、第２の方向（Ｙ方向）に配置している。即ち、本実施形態では、ボビン１６Ａまたはボビン１６Ｂの断面は運動場のような形状であるが、これに限定されるものではない。その他の実施形態では、ボビン１６Ａまたはボビン１６Ｂの断面は多角形または楕円形でもよい。
【００２５】
軸心Ａ１は、第１の円弧状部１７Ａおよび第２の円弧状部１７Ｃの中心を通ることができ、第１の直線状部１７Ｂまたは第２の直線状部１７Ｄと軸心Ａ１との間の距離は、第１の円弧状部１７Ａまたは第２の円弧状部１７Ｃと軸心Ａ１との間の距離より小さくすることができる。また、いくつかの実施形態では、ボビン１６Ｂの構造は、ボビン１６Ａの構造と類似または同一であってよい。言い換えれば、従来の円形形状の断面を有するボビンと比べ、本考案が提供するボビン１６Ａまたはボビン１６Ｂは、内側に向けて減少した部分と平坦な表面を有するため、コイル２０をボビン１６Ａまたはボビン１６Ｂに捲回するときの効果を向上させることができ（例えば、コイル２０をボビン１６Ａまたはボビン１６Ｂにより緊密に捲回することができる）、電子部品１のサイズも縮小することができる。例えば、コイル２０は、ボビン１６Ａまたはボビン１６Ｂにより緊密に捲回することができる。
【００２６】
次いで、図４Ａ〜図４Ｃは、本考案のいくつかの実施形態のベース３０の斜視図、底面図、および側面図である。ベース３０は、本体３２、本体３２の一側方（磁性コア１０の反対側）に配置された突起部３３、ピン３４Ａ（第１のピン）、ピン３４Ｂ（第２のピン）、突出部３５、および本体３２の他の側方（磁性コア１０の対向側）に配置された突出部３６Ａおよび突出部３６Ｂを主に含む。突起部３３は、ほぼＹ方向に配置され、突出部３５は、ほぼＸ方向に配置される。また、ベース３０は、ベース３０の本体３２の両側にそれぞれ位置する凹部（第１の凹部）３８Ａおよび凹部（第２の凹部３８Ｂ）も含み、コア１０がベース３０に配置された後、底板延伸部１２４は凹部３８Ａの上方に位置する。また、ピン３４Ａおよびピン３４Ｂが配置されたベース３０の一側方は、ボス３１を更に有する。本体３２の一側方にボス３１、突起部３３、および突出部３５を提供することによって、ベース３０の機械的強度を増強し、ベース３０が外力を受けたときに変形するのを防ぐことができる。
【００２７】
突出部３６Ａおよび突出部３６Ｂは、本体３２の角部に位置してもよい。また、突出部３６Ａまたは突出部３６Ｂの上面は、突出部上面３７と呼ばれることがある。いくつかの実施形態では、突出部上面３７と本体上面３２Ａは異なる平面上に位置することができる。言い換えれば、本体上面３２Ａおよび突出部上面３７との間は、図４Ｃに示されるようにゼロより大きい距離Ｄ２を有することができる。これにより、磁性コア１０をベース３０の突出部３６Ａと突出部３６Ｂとの間に配置させることができ、コア１０とベース３０を組み立てるときに緩みが生じるのを防止する。ベース３０は、絶縁材料（例えばプラスチック）であることができ、コイル２０に短絡が生じるのを防ぐ。また、いくつかの実施形態では、図４Ｂに示されるように、２つの突出部３６Ａの間の距離は、２つの突出部３６Ｂの間の距離と異なってもよい。
【００２８】
いくつかの実施形態では、凹部３８Ａは２つの突出部３６Ａの間に位置し、且つ凹部３８Ｂは２つの突出部３６Ｂの間に位置することができる。ベース３０に凹部３８Ａを提供、または凹部３８Ｂを提供することによって、コア１０とベース３０を組み立てるときに干渉が生じるのを防ぐことができる。また、凹部３８Ａまたは凹部３８Ｂは、コイル２０を通過させ、コイル２０をボビン１６Ａまたはボビン１６Ｂの上から凹部３８Ａまたは凹部３８Ｂを通過して、ピン３４Ａまたはピン３４Ｂに配置することもでき、製造プロセスの自動化（例えば、自動捲回または配線管理など）を可能にする。また、２つのピン３４Ａの間の距離も、２つのピン３４Ｂの間の距離と異なることができる。例えば、図４Ｂに示されるように、２つのピン３４Ａの間の距離Ｄ３は、２つのピン３４Ｂの間の距離Ｄ４より小さくてもよい。従って、ベース３０の設計の自由度を高めることができる。
【００２９】
図５Ａ〜図５Ｇは、本考案の実施形態に基づいて描かれた電子部品１を様々な角度から見た概略図である。図５Ａ〜図５Ｇに示されるように、コイル２０がボビン１６Ａまたはボビン１６Ｂに配置されたとき、コイル２０の一端をピン３４Ａ（第１のピン）に配置し、もう一端をピン３４Ｂ（第２のピン）に配置することができる。
【００３０】
なお、ここでのピン３４Ａとは、凹部３８Ａに近い側のピンを指しており、ピン３４Ｂとは、凹部３８Ｂに近い側のピンを指している。いくつかの実施形態では、コイル２０は、まずボビン１６Ａまたは１６Ｂに捲回され、次いで、コイル２０の第１の端部２２は、ベース３０の一側方を通過してベースのピンに配置される。より詳細には、本実施形態では、コイル２０の第２の端部２４は、凹部３８Ｂを通過してピン３４Ｂに配置され、コイル２０の第１の端部２２は、凹部３８Ａを通過せず、ベース３０の一側方を通過してピン３４Ａに配置される。しかしながら、本考案はこれに限定されるものではない。例えば、いくつかの実施形態では、設計要件に応じて、コイル２０の第１の端部２２も凹部３８Ａを通過して延伸し、ピン３４Ａに捲回することができる。
【００３１】
コイル２０がＺ方向で天板１４に最も近い部分を捲回したあと、コイル２０は、凹部３８Ｂに近い側からピン３４Ｂに向かって延伸し、凹部３８Ｂを通過してコイル２０の第２の端部２４をピン３４Ｂに配置することができる。
【００３２】
図５Ｇおよび図５Ｈに示すように、ベース３０から磁性コア１０に向かって見たとき、コイル２０の一部は凹部３８Ａまたは凹部３８Ｂから露出しており、且つ本体３２と底板延伸部１２４との間の空間を通過することができる。言い換えれば、軸心Ａ１の方向（Ｚ方向）に沿って見たとき、底板延伸部１２４と本体３２の角（突出部３６Ａまたは突出部３６Ｂがある部分）は、重なっておらず、且つその間は、空間を有することができる。
【００３３】
ベース３０に凹部３８Ａおよび凹部３８Ｂを提供することにより、コイル２０がベース３０の干渉を受けることなく通過することができるため、製造プロセスの自動化を行うことに利点がある。また、底板延伸部１２４または天板延伸部１４４と本体３２との間に空間を有するため、コイル２０を更に通過させることができ、底板１２または天板１４を増加しても、コイル２０は依然としてコア１０と干渉を生じないため、製造プロセスを自動化してコイル２０をコア１０に捲回する場合にも利点がある。
【００３４】
要約すると、本考案は、コアおよびそれを用いた電子部品に関するものである。コアの底板または天板に追加の底板延伸部または天板延伸部をそれぞれ提供することにより、コアの有効面積を増加させて電子部品のインダクタンスを増加させることができる。また、電子部品のベースに凹部、および台形の底板延伸部または天板延伸部を配置することにより、コアとベースとの間に追加の空間を持たせ、自動的にコイル２０をコアに捲回することができるようにし、電子部品の製造速度を向上させることができる。
【００３５】
本開示及びそれらの利点の一部の実施形態が詳細に説明されてきたが、添付の請求の範囲によって定義されるように、本開示の精神および範囲を逸脱せずに、本明細書において種々の変更、代替、および改変をすることができることを理解すべきである。例えば、本明細書で述べられる特徴、機能、プロセス、および材料の多くが本開示の範囲を逸脱することなく変更できることが当業者にとっては容易に理解される。また、本出願の範囲は、本明細書中に述べられたプロセス、機械、製造、物質の組成、手段、方法、及びステップの特定の実施形態に限定されることを意図するものではない。当業者が本開示から容易に理解するように、本明細書で述べられた実施形態と、対応する実質的に同様の機能を実行するか、または実質的に同様の結果を達成する、現存の、または後に開発される、開示、プロセス、機械、製造、物質の組成、手段、方法、またはステップが本開示に従って利用され得る。よって、添付の実用新案登録請求の範囲は、上述のプロセス、機械、製造、物質の組成、手段、方法、またはステップを含むように意図される。
【符号の説明】
【００３６】
１  電子部品
１０  コア
１２  底板
１２２  底板本体
１２４  底板延伸部
１２４Ａ  主面
１２４Ｂ  傾斜面
１４  天板
１４２  天板本体
１４４  天板延伸部
１４４Ａ  主面
１４４Ｂ  傾斜面
１６Ａ、１６Ｂ  ボビン
１７Ａ  第１の円弧状部
１７Ｂ  第１の直線状部
１７Ｃ  第２の円弧状部
１７Ｄ  第２の直線状部
２０  コイル
２２  第１の端部
２４  第２の端部
３０  ベース
３１  ボス
３２  本体
３２Ａ  本体上面
３３、３５、３６Ａ、３６Ｂ  突出部
３４Ａ  ピン（第１のピン）
３４Ｂ  ピン（第２のピン）
３７  突出部上面
３８Ａ  凹部（第１の凹部）
３８Ｂ  凹部（第２の凹部）
Ａ１、Ａ２  軸心
Ｄ１、Ｄ２、Ｄ３、Ｄ４  距離
Ｅ−Ｅ’  線
Ｈ  部分
Ｌ１、Ｌ２、Ｌ３、Ｌ４  寸法
Ｓ  空間
Ｔ１、Ｔ２  厚さ
Ｘ、Ｙ、Ｚ  方向
【図１】
0003222793.tif 000003
【図２Ａ】
0003222793.tif 000004
【図２Ｂ】
0003222793.tif 000005
【図２Ｃ】
0003222793.tif 000006
【図２Ｄ】
0003222793.tif 000007
【図３Ａ】
0003222793.tif 000008
【図３Ｂ】
0003222793.tif 000009
【図４Ａ】
0003222793.tif 000010
【図４Ｂ】
0003222793.tif 000011
【図４Ｃ】
0003222793.tif 000012
【図５Ａ】
0003222793.tif 000013
【図５Ｂ】
0003222793.tif 000014
【図５Ｃ】
0003222793.tif 000015
【図５Ｄ】
0003222793.tif 000016
【図５Ｅ】
0003222793.tif 000017
【図５Ｆ】
0003222793.tif 000018
【図５Ｇ】
0003222793.tif 000019
【図５Ｈ】
0003222793.tif 000020
【手続補正書】
【提出日】令和1年7月2日(2019.7.2)
【手続補正１】
【補正対象書類名】実用新案登録請求の範囲
【補正対象項目名】全文
【補正方法】変更
【補正の内容】
【実用新案登録請求の範囲】
【請求項１】
底板、
前記底板に連結され、第１の方向に配列され、軸心をそれぞれ含む２つのボビン、および
前記２つのボビンに連結された天板本体と、
天板本体の一側方から延伸し、前記天板本体と第２の方向に配列され、前記第２の方向は前記第１の方向と平行でない天板延伸部とを含み、
前記第１の方向にある前記天板延伸部の寸法は、前記軸心間の距離以下である天板を含むコア。
【請求項２】
前記第１の方向にある前記天板延伸部の寸法は、前記天板本体から前記第２の方向に徐々に減少する請求項１に記載のコア。
【請求項３】
前記軸心の方向から見て、前記天板延伸部は台形形状を有する請求項２に記載のコア。
【請求項４】
前記第１の方向にある天板延伸部の最大寸法と前記軸心間の距離は同じである請求項１に記載のコア。
【請求項５】
前記底板は、
前記ボビンと連結した底板本体、および
前記底板本体と第２の方向に配列された底板延伸部を含み、前記第１の方向にある前記底板延伸部の寸法は、前記軸心間の距離以下である請求項１に記載のコア。
【請求項６】
前記第１の方向にある前記底板延伸部の寸法は、前記底板本体から前記第２の方向に徐々に減少する請求項５に記載のコア。
【請求項７】
前記軸心の方向から見て、前記底板延伸部は台形形状を有する請求項６に記載のコア。
【請求項８】
前記第１の方向にある前記底板延伸部の最大寸法と前記軸心間の距離は同じである請求項５に記載のコア。
【請求項９】
前記底板と前記天板の形状は同じである請求項５に記載のコア。
【請求項１０】
前記ボビンの任意の一つの断面は多角形または楕円形を有する請求項１に記載のコア。
【請求項１１】
前記軸心の方向から見て、前記ボビンの外縁は、
第１の円弧状部に連結した第１の直線状部、
前記第１の直線状部に連結した第２の円弧状部、および
前記第１の円弧状部と前記第２の円弧状部に連結した第２の直線状部を順に含み、その中の前記第１の直線状部と前記第２の直線状部は、前記第１の方向で配列される請求項１に記載のコア。
【請求項１２】
凹部を含むベース、
前記ベースに配置され、且つ前記底板延伸部が前記凹部の上方に位置する請求項５〜請求項９のいずれか１項に記載のコア、および
前記ボビンにそれぞれ捲回された２つのコイルを含む電子部品。
【請求項１３】
前記ベースはピンを更に含み、前記コイルの端部は前記ベースの一側方を通過して前記ピンに配置される請求項１２に記載の電子部品。
【請求項１４】
前記ベースはピンを更に含み、前記コイルの一つの端部が前記凹部を介して前記ピンに配置される請求項１２に記載の電子部品。
【請求項１５】
前記ベースは、前記凹部の反対側に配置されたもう一つの凹部を更に含み、且つ前記コイルは前記もう一つの凹部を通過しない請求項１４に記載の電子部品。